(57)【特許請求の範囲】
【請求項１】
映像やカメラで捕えた映像や携帯電話で受信した映像を眼前に投影する投影表示部と、該投影表示部を眼前の所定位置で固定するフレームとを備え、該フレームには、前記投影表示部を駆動させるための電子機器を備え、かつ、耳に装着した状態で該フレームに掛かる荷重を支持して安定させる耳保持具を有し、該耳保持具は耳に装着する人の耳輪脚から耳介側頭溝を回って耳朶に至る湾曲部と、該湾曲部の下端部に取り付けられ、前記耳朶の下端部を下方から支持して、前記耳朶を表裏から挟む耳朶拘束部と、該耳朶拘束部の先端から上方に伸びて、前記装着する人の珠間切痕に嵌り込んで前記耳朶拘束部を安定させる保持体とを備えたことを特徴とする電子機器保持具。
【請求項２】
前記耳保持具の重心位置が、前記湾曲部上部に位置するように設定されていることを特徴とする請求項１に記載の電子機器保持具。
【請求項３】
前記フレームに取り付けた投影表示部が、水平面内で２７０度回動して折り畳むようになされていることを特徴とする請求項１に記載の電子機器保持具。
【請求項４】
前記保持体と前記湾曲部との先端部が連結されてリング状をなしていることを特徴とする請求項１に記載の電子機器保持具。
【請求項５】
リング状に形成された耳保持具の一部が、着脱可能に構成され、該耳保持具を耳に装着した後、前記一部を連結することにより、前記耳保持具がリング状に形成されることを特徴とする請求項４に記載の電子機器保持具。
【請求項６】
前記耳朶拘束部は、前記湾曲部に対して着脱可能であることを特徴とする請求項１から５の何れかに記載の電子機器保持具。
【請求項７】
前記耳朶拘束部は、様々なデザインとサイズのものが用意され、それを装着する人の好みと耳のサイズに応じて付け替え可能であることを特徴とする請求項１から６の何れかに記載の電子機器保持具。
【請求項８】
前記湾曲部には、前記装着する人の耳殻の裏側及び／又は側頭部及び／又は後頭部に沿って広がって、該湾曲部を安定させる固定部が設けられていることを特徴とする請求項１から７の何れかに記載の電子機器保持具。
【請求項９】
後頭部に沿って延設している一方の耳保持具の前記固定部の一部が、他方の耳保持具の固定部の一部に連結されていることを特徴とする請求項８に記載の電子機器保持具。
【請求項１０】
前記耳輪脚と接する前記湾曲部の先端部には、前記耳朶拘束部と協働して前記湾曲部が後方へ脱落するのを防止する保持具が設けられていることを特徴とする請求項１から９の何れかに記載の電子機器保持具。
【請求項１１】
前記耳保持具には、耳に装着されるイヤホン又は補聴器又はカメラ又はマイクロホン又はライト又はスマートフォン又は携帯電話器又は眼鏡が着脱可能にして設けられていることを特徴とする請求項１から１０の何れかに記載の電子機器保持具。
【請求項１２】
前記湾曲部には、装着したマスクの紐を保持しておく溝又は係止具が設けられていることを特徴とする請求項１から１１の何れかに記載の電子機器保持具。
【発明の詳細な説明】
【技術分野】
【０００１】
本発明は、ウエアラブル機器を耳に装着するための電子機器保持具に関する。
【背景技術】
【０００２】
従来、耳に装着するメガネタイプのウエアラブル機器は、その機器を駆動させる電送部やバッテリーなどの装置の重量が重くなり、その装置の取り付けスペースも必要となって本体自体が大きくなる。その装置はフレームに取り付けられているために、そのフレームを鼻パッド、耳、側頭、ヘッドベルトなどで支持してウエアラブル機器全体を固定している。そのため特に鼻にかかる負担が大きく、長時間の使用には不向きで改良する必要がある。
【０００３】
この問題に対しては、下記特許文献に記載のものが知られている。例えば、特許文献１では、耳装着部１３３Ｌ，１３３Ｒは、使用者の耳に沿って摺動するように構成されて、フロント部１３１及び一対のテンプル部１３２Ｌ，１３２Ｒと一体となって使用者の耳を中心として回動可能に構成されている。これによって、特別なマウント機構等を用いずに、使用者の眼前から退避することができる。さらに、フレーム１３０は、フロント部１３１及び耳装着部１３３Ｌ，３３Ｒによって使用者の頭部に装着されるため、使用者の頭部に与える圧迫感を低減している。
【０００４】
特許文献２は頭部装着具表示装置であり、表示機器はテンプル及びモダンに取り付けられ耳に掛けられるが、耳だけでこれらの表示機器を安定して保持することは難しい。また、表示機器用モダンでは、マスクの一対の紐を本発明品の背側の溝に掛けて使用するが、発明品本体は固定されていない。
【先行技術文献】
【特許文献】
【０００５】
【特許文献１】特開２０１０−７４２２０公報
【特許文献２】特開２０１３−１６５４０３公報
【発明の概要】
【発明が解決しようとする課題】
【０００６】
耳に装着するウエアラブル機器を、鼻や耳で支えるために、それらに対する負荷が増大しており、そうした製品が鼻や耳に長時間装着されることには問題がある。本発明は、こうした問題を解決しようとするもので、重たい電子機器を耳に装着する場合でも、耳に過度な負担を掛けない新たな電子機器保持具を提供することを課題とする。
【課題を解決するための手段】
【０００７】
第１発明の電子機器保持具は、映像やカメラで捕えた映像や携帯電話で受信した映像を眼前に投影する投影表示部と、該投影表示部を眼前の所定位置で固定するフレームとを備え、該フレームには、前記投影表示部を駆動させるための電子機器を備え、かつ、耳に装着した状態で該フレームに掛かる荷重を支持して安定させる耳保持具を有し、該耳保持具は耳に装着する人の耳輪脚から耳介側頭溝を回って耳朶に至る湾曲部と、該湾曲部の下端部に取り付けられ、前記耳朶の下端部を下方から支持して、前記耳朶を表裏から挟む耳朶拘束部と、該耳朶拘束部の表側先端から上方に伸びて、前記装着する人の珠間切痕に嵌り込んで前記耳朶拘束部を安定させる保持体とを備えた構成である。
【０００８】
第２発明の電子機器保持具は、第１発明の前記耳保持具の重心位置が、前記湾曲部３上部に位置するように設定されていることを特徴とする。
【０００９】
第３発明の電子機器保持具は、第１発明の前記フレームに取り付けた投影表示部が、水平面内で２７０度回動し折り畳み可能に構成されていることを特徴とする。
【００１０】
第４発明の電子機器保持具は、第１発明の前記保持体と前記湾曲部との先端部が連結されてリング状をなしていることを特徴とする。
【００１１】
第５発明の電子機器保持具は、第４発明のリング状に形成された耳保持具の一部が、着脱可能に構成され、該耳保持具を耳に装着した後、前記一部を連結することにより、前記耳保持具がリング状に形成されることを特徴とする。
【００１２】
第６発明の電子機器保持具は、第１発明から第５発明において、前記耳朶拘束部が、前記湾曲部に対して着脱可能であることを特徴とする。
【００１３】
第７発明の電子機器保持具は、第１発明から第６発明において、前記耳朶拘束部は、様々なデザインとサイズのものが用意され、それを装着する人の好みと耳のサイズに応じて付け替え可能であることを特徴とする。
【００１４】
第８発明の電子機器保持具は、第１発明から第７発明において、前記湾曲部には、それを装着する人の耳殻の裏側及び／又は側頭部及び／又は後頭部に沿って広がって、該湾曲部を安定させる固定部が設けられていることを特徴とする。
【００１５】
第９発明の電子機器保持具は、第８発明の後頭部に沿って延設している一方の耳保持具の前記固定部の一部が、他方の耳保持具の固定部の一部に連結されていることを特徴とする。
【００１６】
第１０発明の電子機器保持具は、第１発明から第９発明において、前記耳輪脚と接する前記湾曲部の先端部には、前記耳朶拘束部と協働して前記湾曲部が後方へ脱落するのを防止する保持具が設けられていることを特徴とする。
【００１７】
第１１発明の電子機器保持具は、第１発明から第１０発明において、前記耳保持具には、耳に装着されるイヤホン又は補聴器又はカメラ又はマイクロホン又はライト又はスマートフォン又は携帯電話器又は眼鏡が着脱可能に設けられていることを特徴とする。
【００１８】
第１２発明の電子機器保持具は、第１発明から第１１発明において、前記湾曲部には、装着したマスクの紐を保持しておく溝又は係止具が設けられていることを特徴とする。
【発明の効果】
【００１９】
第１発明によれば、映像やカメラで捕えた映像や携帯電話で受信した映像を眼前に投影する投影表示部と、該投影表示部を眼前の所定位置で固定するフレームとを備え、該フレームには、前記投影表示部を駆動させるための電子機器を備え、かつ、耳に装着した状態で該フレームに掛かる荷重を支持して安定させる耳保持具を有し、該耳保持具は、それを耳に装着する人の耳輪脚から耳介側頭溝を回って耳朶に至る湾曲部と、該湾曲部の下端部に取り付けられ、前記耳朶の下端部を下方から支持して前記耳朶を表裏から挟む耳朶拘束部と、該耳朶拘束部の表側先端から上方に伸びてそれを装着する人の珠間切痕に嵌り込んで前記耳朶拘束部を安定させる保持体とを備えたものであり、これにより鼻から浮かせた状態で電子機器保持具を耳に安定的に保持することができる。
【００２０】
第２発明の効果として、耳保持具の重心位置が、耳の仮想重心位置となる湾曲部に位置するように設定しているので、耳保持具を前後のバランスを保って安定的に保持することができる。
【００２１】
第３発明の効果として、フレームに取り付けた投影表示部が、水平面内で２７０度回動して折り畳むように構成しているので、それが不要なときは、投影表示部を眼前から退避させることができる。
【００２２】
第４発明の効果として、保持体と湾曲部との先端部が連結されてリング状となるので、耳と当接する部分が耳周縁に分散され、しかも、耳装着具に回転力が加わっても、それを耳全体で拘束して静止状態に常に安定させることができる。
【００２３】
第５発明の効果として、リング状に形成された耳装着具の一部が、着脱可能に構成され、該耳装着具を耳に装着した後、一部を連結することにより、耳装着具がリング状に形成される。これにより、耳装着具を掛けたり外したりすることが容易になり、それを装着する人の耳の形状に合わせることができる。
【００２４】
第６発明の効果として、湾曲部の下端部に取り付けた耳朶拘束部が着脱可能に取り付けられていることにより、それを装着する人の耳の大きさに合わせて耳朶拘束部の位置を微調整することができる。また、耳朶の形状に合致したサイズや形状の耳朶拘束部に取り換えることができるから、電子機器保持具の汎用性を向上させることができる。
【００２５】
第７発明の効果として、耳朶拘束部は、様々なデザインとサイズのものが用意され、それを装着する人の好みと耳のサイズに応じて付け替え可能であり、また、ピアス、イヤリング、装飾品を取り付けてお洒落を楽しむことができるから、女性にも使用して貰えるファッション性に優れた耳装着具にすることができる。
【００２６】
第８発明の効果として、湾曲部には、装着する人の耳殻の裏側及び／又は側頭部及び／又は後頭部に沿って固定部を設けているから、耳装着具が人の頭に当接するする部分が広がって、湾曲部を安定的に固定することができる。
【００２７】
第９発明の効果として、後頭部に沿って延設している一方の耳装着具の固定部の一部が、他方の耳装着具の固定部の一部に連結されていることにより、左右の耳装着具が連結して頭を挟持できるので、重量の重い製品を装着した場合でもそれを保持することができる。
【００２８】
第１０発明の効果として、耳輪脚と接する湾曲部の先端部に、耳朶拘束部と協働して湾曲部が後方へ脱落するのを防止する保持体を設けているから、耳装着具をさらに安定的に固定することができる。
【００２９】
第１１発明の効果として、耳装着具には、耳に装着されるイヤホン又はマイクロホン又はライト又はカメラ又はスマートフォン又は携帯電話器又は眼鏡を着脱可能に設けることができる。
【００３０】
第１２発明の効果として、湾曲部３には、装着したマスクの紐２１を保持しておく溝２２又は係止具２３が設けられているので、強い伸縮性のあるマスク紐２１を使用すれば、マスクを顔に密着固定させることができる。したがって、マスクのフィルターとしての作用効果を向上させることができる。
【図面の簡単な説明】
【００３１】
【図１】第１発明の実施例を示す側面図、斜視図である。
【図２】第１発明の実施例を示す斜視図である。
【図３】第２発明の実施例を示す側面図である。
【図４】第３発明の実施例を示す斜視図、説明図である。
【図５】第４発明の実施例を示す斜視図である。
【図６】第５発明の実施例を示す斜視図である。
【図７】第６発明の実施例を示す側面図である。
【図８】第７発明の実施例を示す斜視図である。
【図９】第８発明の実施例を示す斜視図、後面図である。
【図１０】第８発明の実施例を示す斜視図、後面図である。
【図１１】第９発明の実施例を示す斜視図である。
【図１２】第９発明の実施例を示す斜視図、側面図である。
【図１３】第１０発明の実施例を示す斜視図である。
【図１４】第１１発明の実施例を示す斜視図である。
【図１５】第１１発明の実施例を示す斜視図である。
【図１６】第１１発明の実施例を示す側面図である。
【図１７】第１２発明の実施例を示す正面図、後面図、側面図である。
【発明を実施するための形態】
【００３２】
以下、本発明に係る耳保護具の実施形態の例を、図面を参照しながら説明する。
【実施例１】
【００３３】
第１発明に係る電子機器保持具は、カメラ１７で捕えた映像や携帯電話で受信した映像を眼前に投影する投影表示部1と、該投影表示部１を眼前の所定位置で固定するフレーム２とを備え、該フレーム２には、前記投影表示部１を駆動させるための電送部１１を備え、かつ、耳に装着した状態で該フレーム２に掛かる荷重を支持して安定させる耳保持具を有し、該耳保持具は耳に装着する人の耳輪脚６から耳介側頭溝５を回って耳朶４に至る湾曲部３と、該湾曲部３の下端部に取り付けられ、前記耳朶４の下端部を下方から支持して、前記耳朶４を表裏から挟む耳朶拘束部７と、該耳朶拘束部７の表側先端から上方に伸びて、前記装着する人の珠間切痕９に嵌り込んで前記耳朶拘束部７を安定させる保持体１０とを備えた構成となっている。
【００３４】
実施の形態の一例として、第１（ａ）図は第１発明の電子機器保持具に拡張現実（ＡＲ）機能を備えたメガネを耳にかけた人の側面図である。拡張現実（ＡＲ）機能とフレーム２とを一体化し、耳保持具で全体を支持して保持している。第１（ｂ）図は第１発明の電子機器保持具を耳にかけた人の側面図である。カメラ１７で捕えた映像や携帯電話で受信した映像を眼前に投影する投影表示部1と、該投影表示部１を眼前の所定位置で固定するフレーム２とを備え、該フレーム２には、前記投影表示部１を駆動させるための電送部１１を備え、かつ、耳に装着した状態で該フレーム２に掛かる荷重を支持して安定させる耳保持具を示している。
【００３５】
実施の形態の一例として、第１（ｃ）図は耳の各部の名称の説明図であり、第1（ｄ）図は電子機器保持具を耳にかけた状態を示す拡大斜視図である。耳に装着する人の耳輪脚６から耳介側頭溝５を回って耳朶４に至る湾曲部３を形成し、該湾曲部３の下端部に取り付けられ、前記耳朶４の下端部を下方から支持して、前記耳朶４を表裏から挟む耳朶拘束部７と、該耳朶拘束部７の表側先端から上方に伸びて、対耳珠２６を越えて前記装着する人の珠間切痕９に嵌り込んで前記耳朶拘束部７を安定させる保持体１０とを備えたことを示している。第１発明の電子機器保持具の耳装着具は耳殻８全体を上下と後方から適宜の力で挟んで拘束しているので外れ難い。
【００３６】
湾曲部３の下端部に取り付けた耳朶拘束部７は、湾曲部３と一体形状にするか、湾曲部３と耳朶拘束部７を別の材質に形成して連結することもできる。耳朶拘束部７の材質は、シリコンゴム、ＣＰ、ポリエステル、アセテート、ＰＶＣ、ポリアミド、ニュクレル、形状記憶樹脂、スポンジ、ベータプラスチック、肌の温度で変形する樹脂などである。耳に接する部分及び耳朶拘束部７が耳朶４に接する部分は柔軟な素材が適している。
【００３７】
実施の形態の一例として、第２（ａ）図は第１発明の電子機器保持具の耳朶拘束部７を耳朶４に嵌め込んだ斜視図であり、第２（ｂ）図、第２（ｃ）図は耳装着具の耳朶拘束部７を耳朶４に着脱する時、保持体１０を前方に大きく傾斜させ、解放させた状態を示す斜視図である。耳朶拘束部７は表側先端から上方に伸びて、装着する人の珠間切痕９に嵌り込んで耳朶拘束部７を安定させるための保持体１０も取り付けられているので、細長く保持する形状としては適しているが、柔軟な耳朶４を挟持するためには耳朶拘束部７の保持体１０を矢印の方向に大きく開く必要がある。そのために耳朶拘束部７の材質は強度を備えた柔軟性を有するシリコンが適している。
【００３８】
かかる構成により、第１発明の電子機器保持具は、投影表示部１と投影表示部１を駆動させるための電送部１１をフレーム２に取り付けてあり、耳に装着する人が着脱し易く、耳輪脚６から耳介側頭溝５を回って耳朶４に至る湾曲部３と、耳朶４を表裏から挟む耳朶拘束部７と、装着する人の珠間切痕９に嵌り込んだ保持体１０によって、耳周縁を安定して保持することができる。
【実施例２】
【００３９】
第２発明に係る電子機器保持具は、前記耳保持具の重心位置が、前記湾曲部３上部に位置するように設定されている。
【００４０】
実施の形態の一例として、第３（ａ）図は第２発明の電子機器保持具の湾曲部３上部に重心位置が設定されていることを示す側面図である。フレーム２の先端に取り付けた投影表示部１と、投影表示部１を駆動させるためのフレーム上に設けられた電子機器１１の重さのバランスを、湾曲部３上部に位置させることによって、電子機器保持具のバランスが保たれ安定して保持することができる。第２（ｂ）図は拡張現実の映像を映す投影表示部１と拡張現実（ＡＲ）機能の電子機器１１とフレーム２を一体化し、湾曲部３の上部に重心位置となるようにした電子機器保持具の側面図である。一体化された拡張現実（ＡＲ）機能を備えた本体の前後のバランスを保って安定的に保持することができる。
【実施例３】
【００４１】
第３発明に係る電子機器保持具は、前記フレーム２に取り付けた投影表示部１が、水平面内で２７０度回動して折り畳み可能に構成されている。
【００４２】
実施の形態の一例として、第４（ａ）図は第３発明の電子機器保持具のフレーム２に取り付けた投影表示部１の斜視図であり、第４（ｂ）図は投影表示部１が水平面内で２７０度回動して、折り畳まれたことを示す斜視図であり、第４（ｃ）図はレンズ部１３が水平面内で２７０度回動していることを示す説明図である。
【００４３】
第３発明の電子機器保持具は、耳装着具で確実に保持されるので、投影表示部１は鼻に接触することなく浮いた状態で使用することができる。また、２７０度回動することによって、投影表示部１を使用しない時には投影表示部１を２７０度回動させて側方に退避させることができるので便利である。
【実施例４】
【００４４】
第４発明に係る電子機器保持具は、前記保持体１０と前記湾曲部３との先端部が連結されてリング状をなしている構成である。
【００４５】
実施の形態の一例として、第５（ａ）図は第４発明の電子機器保持具の耳装着具がリング状をなしている斜視図であり、第５（ｂ）図は耳の各部の名称の説明図である。耳朶拘束部７の先端から上方に伸びて、それを装着する人の珠間切痕９に嵌り込んで耳朶拘束部７を安定させる保持体１０の表側先端部を上方に延設した接続部２７は、耳珠２８を覆うようにして耳輪脚６の近傍まで伸ばして湾曲部３の下端部に接続している。
【００４６】
電子機器保持具の耳装着具をリング状にすることにより、耳装着具が耳周縁全体に均一に当接して、適宜の力で耳を締め付けて安定して固定することができる。したがって、弾力性を有する素材を使用すれば着脱も容易にできる。
【実施例５】
【００４７】
第５発明の電子機器保持具は、リング状に形成された耳保持具の一部が、着脱可能に構成され、該耳保持具を耳に装着した後、前記一部を連結することにより、前記耳保持具がリング状に形成された構成である。
【００４８】
実施の形態の一例として、第６（ａ）図は第５発明のリング状に形成された耳装着具の一部が着脱可能であることを示す側面図であり、第６（ｂ）図は第５発明の湾曲部３の上端部を回動可能に構成して、湾曲部３の下端部が着脱可能になっていることを示す側面図である。耳朶拘束部７の先端から上方に伸びて、それを装着する人の珠間切痕９に嵌り込んで耳朶拘束部７を安定させる保持体１０の先端部を上方に延設した接続部２７は、耳珠２８を覆うようにして耳輪脚６の近傍まで伸ばし、この接続部２７が耳装着具の湾曲部３の先端部に屈曲するように取り付けられているので、耳装着具を耳に装着した後、耳朶拘束部７の下端に取り付けた軸２９を湾曲部３の下端部に設けた軸穴３０に挿入することにより、耳装着具がリング状に成る。矢印で示すように耳朶拘束部を前方に曲げることによって、耳装着具の着脱がスムーズにできる。
【００４９】
第６（ｃ）図は第５発明の湾曲部３の先端部が着脱可能に成されていることを示す側面図である。湾曲部３の下端部に耳朶拘束部７の下端を屈曲可能に取り付け、耳朶拘束部７の先端から上方に伸びて、それを装着する人の珠間切痕９に嵌り込んで耳朶拘束部７を安定させる保持体１０を設け、この保持体１０の先端部を上方に延設した接続部２７は、耳珠２８を覆うようにして、耳輪脚６の近傍まで伸ばし、湾曲部３の先端に着脱自在にしている。矢印で示すように耳朶拘束部７を前方に曲げることによって、着脱を容易にしている。
【実施例６】
【００５０】
第６発明の電子機器保持具は、前記耳朶拘束部７を前記湾曲部３に対して着脱可能とした構成である。
【００５１】
実施の形態の一例として、第５（ａ）図は第４発明の耳装着具の耳朶拘束部７が湾曲部３の下端に着脱可能に設けられ側面図であり、第５（ｂ）図は耳朶拘束部７を湾曲部３から抜いた状態を示す側面図である。湾曲部３の下端に軸２９を取り付け、耳朶拘束部７に設けた軸穴３０に挿入する。軸２９の形状は方形が良く耳朶拘束部７が回転することはない。また、耳朶４の大きさに応じて耳朶拘束部７を上下方向に移動させ、耳朶４を挟持する適宜の位置に調整することができる。  
【実施例７】
【００５２】
第７発明の電子機器保持具は、様々なデザインとサイズの前記耳朶拘束部７を用意し、それを装着する人の好みと耳のサイズに応じて付け替え可能とした構成である。
【００５３】
実施の形態の一例として、第８（ａ）図はリングを重ねたデザインの第７発明の電子機器保持具の耳朶拘束部７の斜視図であり、第８（ｂ)図は花のデザインの第７発明の耳朶拘束部７の斜視図であり、第８（ｃ)図は第２発明のリング状の耳装着具の耳朶拘束部７から、先端部の保持体１０と湾曲部３との先端部を、連結した部分まで複数の真珠を取り付けた斜視図であり、第８（ｄ)図は複数の星を取り付けた第７発明の耳朶拘束部７の斜視図である。第７発明の電子機器保持具の耳装着具の耳朶拘束部７に様々なデザインをして、湾曲部３の下端に着脱可能に設けられている。耳装着具を装着する人の好みと耳朶４のサイズに応じて付け替え可能である。
【実施例８】
【００５４】
第８発明の電子機器保持具は、前記湾曲部３に、それを装着する人の耳殻８の裏側及び／又は側頭部及び／又は後頭部に沿って広がって、該湾曲部３を安定させる固定部１３を設けた構成である。
【００５５】
実施の形態の一例として、第９（ａ）図は、第８発明の固定部１３を装着する人の耳殻８の裏側及び側頭部に沿って延設した耳装着具を耳に掛けた斜視図であり、第９（ｂ）図は後面図である。それを装着する人の耳殻８の裏側及び側頭部上方に沿って、湾曲部３に固定部１３が設けられていることを示している。耳殻８の裏側と側頭部との間は間隔があいているので、湾曲部３が左右にずれないよう固定部１３を耳殻８の裏側と側頭部に当接させている。
【００５６】
実施の形態の一例として、第１０（ａ）図は、第８発明の固定部１３を装着する人の後頭部に沿って後方に延設した耳装着具を耳に掛けた耳の斜視図であり、第１０（ｂ）図は第８発明の固定部１３を装着する人の後頭部に沿って後方に耳装着具を耳に掛けた耳の後面図である。湾曲部３から、それを装着する人の後頭部に沿って固定部１３が後方略水平に延設されていることを示している。それを装着する人の後頭部に沿って設けた固定部１３の先端は、後頭部に当接しているので、湾曲部３の先端部が外側にずれないように阻止する効果がある。
【００５７】
実施の形態の一例として、第１０（ｃ)図は、第８発明の耳装着具の固定部１３を後頭部に沿って後方に延設し、その固定部１３の先端部が、後頭部中心近傍まで延設された連結固定具２５を示している。後頭部を巻くようにして頭に当接している固定部１３は、耳装着具を側頭部に押し付ける力が働き、強く保持することができる。
【実施例９】
【００５８】
第９発明の電子機器保持具は、後頭部に沿って延設している一方の耳保持具の前記固定部１３の一部を、他方の耳保持具の固定部１３の一部に連結した構成である。
【００５９】
実施の形態の一例として、第１１（ａ)図は第１発明の耳装着具の湾曲部３後方に第９発明の固定部１３を水平方向に後頭部に沿って延設し、その固定部１３の先端部が、他方の固定部１３の先端部に連結された連結固定具２５を設けたことを示している。この固定部１３によって、左右の耳装着具が左右側頭部を挟持するので、耳装着具は安定して固定される。第１１（ｂ)図は第２発明のリング状を形成している耳装着具の湾曲部３後方から第９発明の固定部１３を水平方向に後頭部に沿って延設し、その固定部１３の先端部が、他方の固定部１３の先端部に連結された連結固定具２５を設けたことを示している。リング状の耳朶拘束具７と保持体１０が左右側頭部を挟持するので、耳装着具はより安定して固定される。
【００６０】
実施の形態の一例として、第１２（ａ)図は第２発明のリング状を形成している湾曲部３の一部を着脱可能にした耳装着具に第９発明の固定部１３を取り付けた斜視図である。一方の湾曲部３の後方から固定部１３を水平方向に後頭部に沿って延設し、その固定部１３の先端部に、連結固定具２５を介して他方の固定部の先端部に連結されたことを示している。左右の湾曲部３を着脱可能にすることにより、耳装着具の着脱が容易になる。第１２（ｂ）図は拡張現実の映像を映す投影表示部１と拡張現実（ＡＲ）機能の電子機器１１とフレーム２を一体化した本体に、固定部１３に着脱可能にした連結固定具２５を取り付けた電子機器保持具の側面図である。連結固定具２５を取り付けることにより、耳装着具は両側頭を挟持して後頭部で保持され、安定して固定することができる。
【実施例１０】
【００６１】
第１０発明の電子機器保持具は、前記耳輪脚６と接する前記湾曲部３の先端部に、前記耳朶拘束部７と協働して前記湾曲部３が後方へ脱落するのを防止する保持具１４を設けた構成である。
【００６２】
実施の形態の一例として、第１３（ａ)図は耳の各部の名称を示す説明図である。第１３（ｂ)図は第１０発明の保持具１４を耳輪脚６の位置に取り付けたことを示している。湾曲部３の先端部より大きい保持具１４を前方に突出させて設けることによって、後方に移動することを阻止している。第１３（ｃ)図は湾曲部３の先端を下方に延設し、耳珠２８の裏側に第１０発明の保持具１４が当接していることを示している。耳珠２８は外側に突出した形状であり、耳珠２８の裏側に保持具１４を引っ掛けて固定できる。
【００６３】
第１３（ｄ)図は湾曲部３の先端を後方に延設して第１０発明の保持具１４が三角窩１５に当接していることを示している。三角窩１５は耳殻８に囲まれた耳の内側にあり、窪んだ形状をしているので、その窪みの中に保持具１４を挿入することにより固定できる。耳装着具の上部に設けた第８発明の保持具１４と、耳装着具の下部に設けた耳朶拘束部７と保持体１０とが協働して、安定して脱落するのを防止している。保持具１４の材質は強度を有した柔軟なシリコン樹脂が良い。
【実施例１１】
【００６４】
第１１発明の電子機器保持具は、前記耳保持具には、耳に装着されるイヤホン１５又は補聴器１６又はカメラ１７又はマイクロホン１８又はライト１９又はスマートフォン２０又は携帯電話器又は眼鏡２４を着脱可能にして設けた構成である。
【００６５】
実施の形態の一例として、第１４（ａ)図は第１１発明の耳装着具にイヤホン１５を取り付けた斜視図である。イヤホン１５近傍に耳装着具の保持体１０が位置しているので、様々なタイプの取り付け方法があり、着脱は可能である。第１４（ｂ)図は湾曲部３の先端を下方に延設し、耳珠２８の裏側に第１０発明の保持具１４が当接している。その湾曲部３にイヤホン１５を結合させた斜視図である。第１４（ｃ)図は第１１発明の耳装着具に補聴器１６を取り付けた斜視図である。補聴器１６近傍に耳装着具の保持体１０が位置しているので、様々なタイプの取り付け方法があり、着脱は可能である。第１４（ｄ)図は第１１発明の耳装着具の湾曲部３の先端にカメラ１７を取り付けた斜視図である。カメラ１７を後方に向けて取り付けた場合は、女性が夜道を歩く時に防犯の役割をする。第１１発明の耳装着具には骨伝導イヤホン、骨伝導ヘッドホンも取り付け可能である。
【００６６】
実施の形態の一例として、第１５（ａ)図は第１１発明の耳装着具にマイクロホン２２を取り付けた斜視図であり、第１５（ｂ)図は第１１発明の耳装着具にライト２３を取り付けた斜視図である。夜道を歩く時は防犯の役目をする。第１１発明の耳装着具に製品に適した係止具を取り付けることにより、様々な耳に装着可能な製品を装着することができる。
【００６７】
実施の形態の一例として、第１６（ａ)図は第１１発明の耳装着具に回動軸３１を設けた支持棒を取り付け、その先端にスマートフォン２０を取り付けた側面図である。第４発明のリング状の耳装着具の湾曲部３に連結固定具２５を接続したことによって、スマートフォン２０の重量をバランス良く支えることができる。第１６（ｂ)図は第１１発明の耳装着具に装着したスマートフォン２０を回動軸３１に取り付けた支持棒を下方に下ろし、胸の位置に下げたことを示す側面図である。スマートフォン２０を使わない時は胸元で保持することができる。
【実施例１２】
【００６８】
第１２発明の電子機器保持具は、前記湾曲部３に、装着したマスクの紐２１を保持しておく溝２２又は係止具２３を設けた構成である。
【００６９】
実施の形態の一例として、第１７（ａ)図は第１２発明の耳装着具にマスクを装着するための溝２２を設けたことを示す正面図であり、第１７（ｂ)図は、第１２発明の溝２２を設けた耳装着具を耳に装着した人の後面図である。耳装着具の湾曲部３に溝２２を設け、その溝２２にマスクの紐２１を掛けた場合、紐２１が湾曲部３の溝２２に当接しているので、耳への負担が軽減される。弾力性の強い紐２１をマスクに使用することができる。強い紐２１で引っ張ったマスクは、フィルターの効果が向上する。
【００７０】
実施の形態の一例として、第１７（ｃ)図は第１２発明の耳装着具にマスクを装着するための係止具２３を設けたことを示す側面図である。第２発明のリング状にした耳装着具の連結部３１に外側に突出させた係止具２３を取り付け、マスクの紐２１を引っ掛けたことを示している。マスクを引っ張る位置が低く、マスクの上部は略水平方向に引っぱれることになり、マスクの上部と顔面との隙間を小さくして、息が漏れなくなって眼鏡のレンズ部の曇りをなくすことができる。
【産業上の利用可能性】
【００７１】
以上のように、本発明の電子機器保持具は、湾曲部３と耳朶４を表裏から挟む耳朶拘束部７と、該耳朶拘束部７の表側先端から上方に伸びて、装着する人の珠間切痕９に嵌り込んで耳朶拘束部７を安定させる保持体１０とを備えたことによって、電子機器保持具を安定して耳に装着することができる。そして、様々なデザインとサイズの耳朶拘束部７が用意され、それを装着する人の好みと耳のサイズに応じて付け替え可能である。また、イヤホン１５、補聴器１６、カメラ１７、マイクロホン１８、ライト１９、スマートホン２０、マスクの紐２１を保持しておく溝２２を備えた耳装着具などの製品を、耳に装着することができる。そして、鼻への負担が掛から電子機器用耳装着具として電子機器保持具は適している。
【符号の説明】
【００７２】
１    投影表示部
２    フレーム
３    湾曲部
４    耳朶
５    耳介側頭溝
６    耳輪脚
７    耳朶拘束部
８    耳殻
９    珠間切痕
１０  保持体  
１１  電子機器
１３  固定部
１４  保持具
１５  イヤホン
１６  補聴器
１７  カメラ
１８  マイクロホン
１９  ライト
２０  スマートフォン
２１  紐
２２  溝
２３  係止具
２４  眼鏡
２５  連結固定具
２６  対耳珠
２７  接続部
２８  耳珠
２９  軸
３０  軸穴
３１  回動軸
【要約】
【課題】
本発明は、耳に装着するウエアラブル機器が重たい場合であっても、鼻に接触することなく、耳の負担を軽減させるために、耳全体を拘束して耳の形状に合わせて密着する電子機器保持具を提供することを課題とする。
【解決手段】
投影表示部１と投影表示部１を駆動させるための電送部１１をフレーム２に備えた電子機器保持具は、耳に装着する人の耳輪脚６から耳介側頭溝５を回って耳朶４に至る湾曲部３と、該湾曲部３の下端部に取り付けられ、前記耳朶４の下端部を下方から支持して、前記耳朶４を表裏から挟む耳朶拘束部７と、該耳朶拘束部７の表側先端から上方に伸びて、前記装着する人の珠間切痕９に嵌り込んで前記耳朶拘束部７を安定させる保持体１０とを備えた構成である。
【選択図】    図１【図１】
0005848487.tif 000002
【図２】
0005848487.tif 000003
【図３】
0005848487.tif 000004
【図４】
0005848487.tif 000005
【図５】
0005848487.tif 000006
【図６】
0005848487.tif 000007
【図７】
0005848487.tif 000008
【図８】
0005848487.tif 000009
【図９】
0005848487.tif 000010
【図１０】
0005848487.tif 000011
【図１１】
0005848487.tif 000012
【図１２】
0005848487.tif 000013
【図１３】
0005848487.tif 000014
【図１４】
0005848487.tif 000015
【図１５】
0005848487.tif 000016
【図１６】
0005848487.tif 000017
【図１７】
0005848487.tif 000018